(57)【要約】【課題】従来の装置に対し、遠方まで安定した位相でマイクロ波信号を伝送する。【解決手段】光ファイバは複数に分割された伝送用光ファイバ５から成り、変調光を生成し、出力先の伝送用光ファイバ５の光路長の変動を補償した上で、当該伝送用光ファイバ５に出力する第１の位相同期回路２と、第１の位相同期回路２の後段に配置され、入力元の伝送用光ファイバ５からの変調光に対し、出力先の伝送用光ファイバ５の光路長の変動を補償した上で、当該出力先の伝送用光ファイバ５に出力する複数の第２の位相同期回路３とを備えた。【選択図】図１
2014011561.tif 000002
【特許請求の範囲】
【請求項１】
所定のマイクロ波信号で変調した変調光を光ファイバを介して伝送する同期信号配信装置において、
前記光ファイバは複数に分割された分割光ファイバから成り、
前記変調光を生成し、出力先の前記分割光ファイバの光路長の変動を補償した上で、当該分割光ファイバに出力する第１の位相同期回路と、
前記第１の位相同期回路の後段に配置され、入力元の前記分割光ファイバからの変調光に対し、出力先の前記分割光ファイバの光路長の変動を補償した上で、当該出力先の分割光ファイバに出力する複数の第２の位相同期回路と
を備えたことを特徴とする同期信号配信装置。
【請求項２】
前記第１の位相同期回路は、
前記所定のマイクロ波信号を用いて前記変調光を生成する電気／光変換手段と、
前記電気／光変換手段により生成された変調光の遅延を制御して、前記出力先の分割光ファイバに出力する光遅延制御手段と、
前記出力先の分割光ファイバからの変調光をマイクロ波信号に復調する光／電気変換手段と、
前記所定のマイクロ波信号および前記光／電気変換手段により復調されたマイクロ波信号の位相差に基づいて、前記光遅延制御手段の遅延量を制御する位相比較手段とを備え、
前記第２の位相同期回路は、
前記入力元の分割光ファイバからの変調光のうち、一部を反射し、残りを透過する部分光反射手段を備えた
ことを特徴とする請求項１記載の同期信号配信装置。
【請求項３】
前記第２の位相同期回路は、
前記部分光反射手段を透過した変調光の遅延を制御して、前記出力先の分割光ファイバに出力する第２の光遅延制御手段と、
前記出力先の分割光ファイバからの変調光をマイクロ波信号に復調する第２の光／電気変換手段と、
前記部分光反射手段を透過した変調光をマイクロ波信号に復調する第３の光／電気変換手段と、
前記第２の光／電気変換手段により復調されたマイクロ波信号および前記第３の光／電気変換手段により復調されたマイクロ波信号の位相差に基づいて、前記第２の光遅延制御手段の遅延量を制御する第２の位相比較手段とを備えた
ことを特徴とする請求項２記載の同期信号配信装置。
【発明の詳細な説明】
【技術分野】
【０００１】
この発明は、マイクロ波信号で変調した変調光を光ファイバを介して遠方に伝送する装置において、温度変化などによる光ファイバへの擾乱によらず、光路長の変動を補償する同期信号配信装置に関するものである。
【背景技術】
【０００２】
一般に、光ファイバ中を光波が伝搬する場合、光ファイバ周囲に温度変化や光ファイバに対する振動があると、光ファイバの伸び縮みなどが生じるため光路長が変動する。したがって、マイクロ波信号を光波に重畳して光ファイバを介して伝送させるＲｏＦ（Ｒａｄｉｏ  Ｏｎ  Ｆｉｂｅｒ）伝送においても、光ファイバの光路長の変動により、光ファイバ伝送後に復調されたマイクロ波信号に位相変動や遅延時間の変動が生じる。
このため、復調されたマイクロ波信号の位相安定性を高めるためには、伝送路である光ファイバの光路長の変動を補償する必要がある。
【０００３】
そして、上記課題を解決するための従来の光路長安定化装置として、擾乱による光路長変動をモニタし、変動方向と逆方向に光路長を制御することで補正を行うものがある（例えば非特許文献１の図１参照）。
【０００４】
この非特許文献１に開示された従来の光路長変動補償方式では、まず、レーザ（ＥＣＬＤ）から出力されたレーザ光が、第１の光カプラ（１０ｄＢ  ｃｏｕｐｌｅｒ）により２分岐される。そして、分岐された一方のレーザ光が、第１の光サーキュレータ、光ファイバ（ｄｅｌａｙ  ｌｉｎｅ）の長さを可変する光ファイバストレッチャ（ｆｉｂｅｒ  ｓｔｒｅｔｃｈｅｒ）、伝送路である上記光ファイバ、第２の光サーキュレータ（ｏｐｔｉｃａｌ  ｃｉｒｃｕｌａｔｏｒ）を順番に介して伝送される。そして、上記第２の光サーキュレータから出力されたレーザ光は第２の光カプラ（３ｄＢ  ｃｏｕｐｌｅｒ）で分岐される。この分岐された一方のレーザ光は基準光として出力され、他方のレーザ光は音響光学光変調器（ＡＯＭ）を経て上記第２の光サーキュレータに戻され、第２の光サーキュレータにより上記光ファイバを往復する。
【０００５】
この往復したレーザ光は、上記ＡＯＭにより角周波数がシフトされている。往復したレーザ光は、上記第１の光サーキュレータで光路が切り替えられ、第３の光カプラ（３ｄＢ  ｃｏｕｐｌｅｒ）において、上記第１の光カプラにより分岐された他方のレーザ光と合波される。
【０００６】
そして、上記第３の光カプラから出力された合波光は、光／電気変換器（ＰＤ）により電気信号に変換される。ここで、変換された電気信号の角周波数は、上記ＡＯＭにより角周波数シフトされたマイクロ波信号の角周波数となる。上記光ファイバの光路長が温度変化などにより変動した場合、光／電気変換された電気信号のビート信号は光路長の変動に応じて位相が変動する。
【０００７】
そして、基準信号源（ｓｙｎｔｈ．５５ＭＨｚ）からの基準信号と上記ＰＤからのビート信号との位相を位相検波器（ＰＳＤ又はＤＰＦＤ）で比較し、ビート信号の位相を所望の位相と一致させるための例えば電圧などの制御信号を出力する。この制御信号は、ループフィルタを介して上記光ファイバストレッチャに入力され、制御信号に応じた量だけ光信号の位相がシフトされる。
【０００８】
ここで、上記ＰＤからのビート信号により得られる制御信号が、上記光ファイバストレッチャに入力されるという動作が繰り返されることにより、帰還回路が構成される。そして、この帰還回路により、擾乱による光路長の変動を補償する制御を行う。
したがって、上記第２の光カプラで分岐された一方のレーザ光も高い位相安定性が得られている。
【先行技術文献】
【非特許文献】
【０００９】
【非特許文献１】Ｍｕｓｈａ、ｅｔ．ａｌ．著、“Ｒｏｂｕｓｔ  ａｎｄ  ｐｒｅｃｉｓｅ  ｌｅｎｇｔｈ  ｃｏｒｒｅｃｔｉｏｎ  ｏｆ  ２５−ｋｍ  ｆｉｂｅｒ  ｆｏｒ  ｄｉｓｔｒｉｂｕｔｉｏｎ  ｏｆ  ｌｏｃａｌ  ｏｓｃｉｌｌａｔｏｒ”、２００５  Ｄｉｇｅｓｔ  ｏｆ  ｔｈｅ  ＬＥ／ＯＳ  Ｓｕｍｍｅｒ  Ｔｏｐｉｃａｌ  Ｍｅｅｔｉｎｇ、ＴｕＢ４．４、ｐ．１２３、２００５．、（Ｆｉｇｕｒｅ  １）
【発明の概要】
【発明が解決しようとする課題】
【００１０】
上述したように、非特許文献１に開示されるような従来の光路長安定化装置では、送信先で反射し往復したモニタ光と、送信元の基準光との間で位相差を検出し、その位相変動を補償していた。そのため、配信先が遠方になるに従い、モニタ光と基準光との遅延時間差が大きくなる。このため、位相同期回路のループ帯域が制限されるため、早い光路長変動（位相変動）に対応できなくなる。
【００１１】
また、配信先が遠方になるに従い、光路長の変動量も大きくなり易い。そのため、非特許文献１のように光移相器で光路長を補正する場合、光路長の変動範囲が光移相器の制御範囲（可変範囲）を超えやすくなる。
【００１２】
また、従来の装置では、モニタ光の反射位相と基準光とのビート信号との位相差をモニタし、マイクロ波信号源の位相と比較していた。そのため、光ファイバ伝送路の往復長（往復する伝搬時間）オーダのコヒーレント長のレーザが必要となる。光ファイバ伝送路の長さがｋｍ以上のオーダになると、レーザ光の線幅はｋＨｚ以下である必要があり、さらに数１０ｋｍ，１００ｋｍオーダになると、Ｈｚオーダの線幅のレーザ光源が必要となる。しかしながら、線幅が非常に狭いレーザは通常、大型・複雑で非常に高価なものとなる。
【００１３】
このように、非特許文献１に開示される従来の装置では、特に、配信先が遠方になるに従い、上述したような課題が生じる。
【００１４】
この発明は、上記のような課題を解決するためになされたもので、従来の装置に対し、遠方まで安定した位相でマイクロ波信号を伝送可能な同期信号配信装置を提供することを目的としている。
【課題を解決するための手段】
【００１５】
この発明に係る同期信号配信装置は、光ファイバは複数に分割された分割光ファイバから成り、変調光を生成し、出力先の分割光ファイバの光路長の変動を補償した上で、当該分割光ファイバに出力する第１の位相同期回路と、第１の位相同期回路の後段に配置され、入力元の分割光ファイバからの変調光に対し、出力先の分割光ファイバの光路長の変動を補償した上で、当該出力先の分割光ファイバに出力する複数の第２の位相同期回路とを備えたものである。
【発明の効果】
【００１６】
この発明によれば、上記のように構成したので、従来の装置に対し、遠方まで安定した位相でマイクロ波信号を伝送可能となる。
【図面の簡単な説明】
【００１７】
【図１】この発明の実施の形態１に係る同期信号配信装置を適用した光ファイバマイクロ波信号伝送装置の全体構成を示すブロック図である。
【図２】この発明の実施の形態１における第１の位相同期回路の構成を示すブロック図である。
【図３】この発明の実施の形態１における第２の位相同期回路の構成を示すブロック図である。
【図４】この発明の実施の形態１におけるマイクロ波出力手段の構成を示すブロック図である。
【図５】この発明の実施の形態２における第２の位相同期回路の構成を示すブロック図である。
【発明を実施するための形態】
【００１８】
以下、この発明の実施の形態について図面を参照しながら詳細に説明する。なお、各図において、同一または相当する部分については、同一符号を付して説明する。また、各図中、光ファイバを実線で示し、電線を破線で示す。
実施の形態１．
図１はこの発明の実施の形態１に係る同期信号配信装置を適用した光ファイバマイクロ波信号伝送装置（以下、略してＲｏＦ（Ｒａｄｉｏ  ｏｖｅｒ  Ｆｉｂｅｒ）装置と表記する）の全体構成を示すブロック図である。
【００１９】
ＲｏＦ装置は、送信側に入力されたマイクロ波信号で変調した変調光を、光ファイバを介して遠方にある受信側に伝送し、出力するものである。なお、本発明の上記光ファイバは、複数に分割された伝送用光ファイバ（分割光ファイバ）５から成る。
このＲｏＦ装置は、図１に示すように、マイクロ波信号源１、第１の位相同期回路（♯１）２、複数の第２の位相同期回路（♯２〜♯ｎ）３およびマイクロ波出力手段４から構成されている。なお、隣接する各位相同期回路２，３およびマイクロ波出力手段４間はそれぞれ伝送用光ファイバ（♯１〜♯ｎ）５により接続されている。
【００２０】
マイクロ波信号源１は、基準となるマイクロ波信号を発生するものである。なお、本発明に係るＲｏＦ装置では、このマイクロ波信号を安定に遠方まで配信することを目的としている。このマイクロ波信号源１により発生されたマイクロ波信号は第１の位相同期回路２に出力される。
【００２１】
第１の位相同期回路２は、マイクロ波信号源１からのマイクロ波信号を用いて変調光を生成するとともに、出力先の伝送用光ファイバ５の光路長の変動を補償するものである。この第１の位相同期回路２により生成され、光路長の変動が補償された変調光は、当該出力先の伝送用光ファイバ５を介して次段の第２の位相同期回路３に出力される。なお、第１の位相同期回路２は、当該次段の第２の位相同期回路３から反射された一部の変調光を用いて自機でのマイクロ波信号と当該第２の位相同期回路３でのマイクロ波信号との位相同期を図ることで、当該出力先の伝送用光ファイバ５の光路長の変動を補償する。
【００２２】
第２の位相同期回路３は、入力元の伝送用光ファイバ５を介した前段の第１の位相同期回路２または第２の位相同期回路３からの変調光に対し、出力先の伝送用光ファイバ５の光路長の変動を補償するものである。この第２の位相同期回路３により光路長の変動が補償された変調光は、当該出力先の伝送用光ファイバ５を介して次段の第２の位相同期回路３またはマイクロ波出力手段４に出力される。なお、第２の位相同期回路３は、当該次段の第２の位相同期回路３またはマイクロ波出力手段４から反射された一部の変調光を用いて、自機でのマイクロ波信号と当該第２の位相同期回路３またはマイクロ波出力手段４でのマイクロ波信号との位相同期を図ることで、当該出力先の伝送用光ファイバ５の光路長の変動を補償する。
【００２３】
マイクロ波出力手段４は、入力元の伝送用光ファイバ５を介した前段の第２の位相同期回路３からの変調光をマイクロ波信号に復調して、外部に出力するものである。
【００２４】
次に、第１の位相同期回路２の構成について、図２を参照しながら説明する。
第１の位相同期回路２は、図２に示すように、電気／光（Ｅ／Ｏ）変換手段２１、光サーキュレータ２２、光遅延制御手段２３、光／電気（Ｏ／Ｅ）変換手段２４および位相比較手段２５から構成されている。
【００２５】
Ｅ／Ｏ変換手段２１は、マイクロ波信号源１からのマイクロ波信号を用いて変調光を生成するものである。このＥ／Ｏ変換手段２１により生成された変調光は光サーキュレータ２２に出力される。
【００２６】
光サーキュレータ２２は、入力された変調光に応じて出力先を選択的に切替えるものである。ここで、光サーキュレータ２２は、Ｅ／Ｏ変換手段２１からの変調光を光遅延制御手段２３に出力し、光遅延制御手段２３からの変調光をＯ／Ｅ変換手段２４に出力する。
【００２７】
光遅延制御手段２３は、光サーキュレータ２２からの変調光に対する遅延を制御し、出力先の伝送用光ファイバ５を介して次段の第２の位相同期回路３に出力するものである。なお、光遅延制御手段２３は、位相比較手段２５からの駆動信号に応じてその遅延量を調整する。また、光遅延制御手段２３は、当該出力先の伝送用光ファイバ５を介して次段の第２の位相同期回路３から反射された一部の変調光が入力された場合には、当該変調光を光サーキュレータ２２に出力する。
【００２８】
Ｏ／Ｅ変換手段２４は、光サーキュレータ２２からの変調光をマイクロ波信号に復調するものである。このＯ／Ｅ変換手段２４により復調されたマイクロ波信号は位相比較手段２５に出力される。
【００２９】
位相比較手段２５は、マイクロ波信号源１からのマイクロ波信号とＯ／Ｅ変換手段２４からのマイクロ波信号との位相差を比較し、その位相差が一定（例えば、位相差＝０度）となるように光遅延制御手段２３に対する駆動信号を生成するものである。この位相比較手段２５により生成された駆動信号は光遅延制御手段２３に出力される。
【００３０】
次に、第２の位相同期回路３の構成について、図３を参照しながら説明する。
第２の位相同期回路３は、図３に示すように、部分光反射手段３１、第１の光／電気（Ｏ／Ｅ）変換手段３２、電気／光（Ｅ／Ｏ）変換手段３３、光サーキュレータ３４、光遅延制御手段（第２の光遅延制御手段）３５、第２の光／電気（Ｏ／Ｅ）変換手段３６および位相比較手段（第２の位相比較手段）３７から構成される。
【００３１】
部分光反射手段３１は、入力元の伝送光ファイバ５を介した前段の第１の位相同期回路２または第２の位相同期回路３からの変調光の一部を反射し、残りを透過するものである。この部分光反射手段３１により反射された変調光は入力元の伝送光ファイバ５を介して前段の第１の位相同期回路２または第２の位相同期回路３に出力され、透過した変調光は自機の第１のＯ／Ｅ変換手段３２に出力される。
【００３２】
第１のＯ／Ｅ変換手段３２は、部分光反射手段３１からの変調光をマイクロ波信号に復調するものである。この第１のＯ／Ｅ変換手段３２により復調されたマイクロ波信号はＥ／Ｏ変換手段３３および位相比較手段３７に出力される。
【００３３】
Ｅ／Ｏ変換手段３３は、第１のＯ／Ｅ変換手段３２からのマイクロ波信号を用いて変調光を生成するものである。このＥ／Ｏ変換手段３３により生成された変調光は光サーキュレータ３４に出力される。
【００３４】
光サーキュレータ３４は、入力された変調光に応じて出力先を選択的に切替えるものである。ここで、光サーキュレータ３４は、Ｅ／Ｏ変換手段３３からの変調光を光遅延制御手段３５に出力し、光遅延制御手段３５からの変調光を第２のＯ／Ｅ変換手段３６に出力する。
【００３５】
光遅延制御手段３５は、光サーキュレータ３４からの変調光に対する遅延を制御し、出力先の伝送用光ファイバ５を介して次段の第２の位相同期回路３またはマイクロ波出力手段４に出力するものである。なお、光遅延制御手段３５は、位相比較手段３７からの駆動信号に応じてその遅延量を調整する。また、光遅延制御手段３５は、当該出力先の伝送用光ファイバ５を介して次段の第２の位相同期回路３またはマイクロ波出力手段４から反射された一部の変調光が入力された場合には、当該変調光を光サーキュレータ３４に出力する。
【００３６】
第２のＯ／Ｅ変換手段３６は、光サーキュレータ３４からの変調光をマイクロ波信号に復調するものである。この第２のＯ／Ｅ変換手段３６により復調されたマイクロ波信号は位相比較手段３７に出力される。
【００３７】
位相比較手段３７は、第１のＯ／Ｅ変換手段３２からのマイクロ波信号と第２のＯ／Ｅ変換手段３６からのマイクロ波信号との位相差を比較し、その位相差が一定（例えば、位相差＝０度）となるように光遅延制御手段３５に対する駆動信号を生成するものである。この位相比較手段３７により生成された駆動信号は光遅延制御手段３５に出力される。
【００３８】
次に、マイクロ波出力手段４の構成について、図４を参照しながら説明する。
マイクロ波出力手段４は、図４に示すように、部分光反射手段４１および光／電気（Ｏ／Ｅ）変換手段４２から構成されている。
【００３９】
部分光反射手段４１は、入力元の伝送光ファイバ５を介した前段の第２の位相同期回路３からの変調光の一部を反射し、残りを透過するものである。この部分光反射手段４１により反射された変調光は入力元の伝送光ファイバ５を介して前段の第２の位相同期回路３に出力され、透過した変調光は自機のＯ／Ｅ変換手段４２に出力される。
【００４０】
Ｏ／Ｅ変換手段４２は、部分光反射手段４１からの変調光をマイクロ波信号に復調するものである。このＯ／Ｅ変換手段４２により復調されたマイクロ波信号は外部に出力される。
【００４１】
次に、この実施の形態１に係るＲｏＦ装置の動作について、図１〜４を参照しながら説明する。
このＲｏＦ装置の動作では、まず、第１の位相同期回路（♯１）２において、マイクロ波信号源１からのマイクロ波信号を入力として、Ｅ／Ｏ変換手段２１により、当該マイクロ波信号で変調した光波（変調光）を出力する。なお、変調手段としては、レーザダイオード（ＬＤ）の印加電流を直接制御する直接変調方式であっても構わないし、レーザからＣＷ光を出力させ、その出力ＣＷ光を外部に設けた光変調器（例えば、ＬｉＮｂＯ３用いたＭａｃｈ−Ｚｅｈｎｄｅｒ型強度変調器）により変調する外部変調方式であっても構わない。
【００４２】
そして、マイクロ波信号で変調された変調光は、光サーキュレータ２２および光遅延制御手段２３を介して第１の位相同期回路（♯１）２から出力される。
その後、第１の位相同期回路（♯１）２から出力された変調光は、伝送用光ファイバ（♯１）５を介して遠方まで伝送され、第２の位相同期回路（♯２）３に入力される。
【００４３】
次いで、第２の位相同期回路（♯２）３において、第１の位相同期回路（♯１）２からの変調光の一部を部分光反射手段３１により反射させ、残りを第１のＯ／Ｅ変換手段３２によりマイクロ波信号に復調させる。
この部分光反射手段３１で反射された反射光は、入力元の伝送用光ファイバ（♯１）５を介して第１の位相同期回路（♯１）２の光遅延制御手段２３に戻り、光サーキュレータ２２を介してＯ／Ｅ変換手段２４によりマイクロ波信号に復調される。
【００４４】
次いで、第１の位相同期回路（♯１）２のＯ／Ｅ変換手段２４で復調されたマイクロ波信号とマイクロ波信号源１からのマイクロ波信号との位相差を位相比較手段２５により比較し、その位相差が一定（例えば、位相差＝０度）となるように、光遅延制御手段２３への駆動信号を制御する。
【００４５】
このように、第１の位相同期回路（♯１）２から第２の位相同期回路（♯２）３の部分光反射手段３１間には、位相同期回路（ＰＬＬ回路）が構築されている。そのため、伝送用光ファイバ（♯１）５の光路長が温度変動などにより変動しても、第２の位相同期回路（♯２）３の部分光反射手段３１を透過し第１のＯ／Ｅ変換手段３２により復調されたマイクロ波信号の位相を、マイクロ波信号源１の出力信号の位相と同期させることができる。
【００４６】
同様に、第２の位相同期回路（♯３）３にて復調されたマイクロ波信号も、第２の位相同期回路（♯２）３にて復調されたマイクロ波信号と同期をとることができる。そして、以上のような位相同期を繰り返し、最終的に、マイクロ波出力手段４に入力され部分光反射手段４１を透過した変調光は、Ｏ／Ｅ変換手段４２によりマイクロ波信号に復調される。
そして、マイクロ波出力手段４により復調されたマイクロ波信号は、前段の位相同期回路（♯１〜♯ｎ）２，３により位相同期されているため、マイクロ波信号源１の出力信号の位相と同期させることができる。
【００４７】
以上のように、この実施の形態１によれば、マイクロ波信号で変調した光波を光ファイバに重畳して遠方に配信する場合において、光ファイバを複数に分割し、分割した各伝送用光ファイバ５間で位相同期回路２，３により位相同期をとりながら伝送する構成としたので、遠方まで高位相安定な状態でマイクロ波信号を伝送可能な装置を提供できる。
【００４８】
実施の形態２．
図５はこの発明の実施の形態２における第２の位相同期回路３の構成を示すブロック図である。図５に示す実施の形態２における第２の位相同期回路３は、図３に示す実施の形態１における第２の位相同期回路３から第１のＯ／Ｅ変換手段３２およびＥ／Ｏ変換手段３３を削除し、第３の光／電気（Ｏ／Ｅ）変換手段３８を追加したものである。その他の構成は同様であり、同一の符号を付してその説明を省略する。
なお、部分光反射手段３１は、透過した変調光を光サーキュレータ３４および第３のＯ／Ｅ変換手段３８に出力する。
【００４９】
第３のＯ／Ｅ変換手段３８は、部分光反射手段３０からの変調光をマイクロ波信号に復調するものである。この第３のＯ／Ｅ変換手段３８により復調されたマイクロ波信号は位相比較手段３７に出力される。
また、位相比較手段３７は、第２のＯ／Ｅ変換手段３６からのマイクロ波信号と第３のＥ／Ｏ変換手段３７からのマイクロ波信号との位相差を比較し、その位相差が一定（例えば、位相差＝０度）となるように光遅延制御手段３５に対する駆動信号を生成する。
【００５０】
次に、この実施の形態２に係るＲｏＦ装置の動作について、図１，２，４，５を参照しながら説明する。
まず、第２の位相同期回路（♯２）３に入力された変調光のうちの一部は部分光反射手段３１により反射され、第１の位相同期回路（♯１）２において、第１の位相同期回路（♯１）２および第２の位相同期回路（♯２）３間の伝送用光ファイバ（♯１）５の位相変動が補償される。
【００５１】
次に、第２の位相同期回路（♯２）３の部分光反射手段３１を透過した変調光は２分岐され、一方は光サーキュレータ３４および光遅延制御手段３５を通過して出力先の伝送用光ファイバ（♯２）５を介して次段の第２の位相同期回路（♯３）３に出力される。そして、第２の位相同期回路（♯３）３では、第２の位相同期回路（♯２）３と同様に、入力された変調光の一部を部分光反射手段３１により反射させ、入力元の伝送用光ファイバ（♯２）５を介して第２の位相同期回路（♯２）３に戻す。
その後、第２の位相同期回路（♯２）３に戻った変調光は、光遅延制御手段３５および光サーキュレータ３４を介して、第２のＯ／Ｅ変換手段３６によりマイクロ波信号に復調される。
【００５２】
一方、第２の位相同期回路（♯２）３の部分光反射手段３１を透過し２分岐された他方の変調光は、第３のＯ／Ｅ変換手段３８によりマイクロ波信号に復調される。ここで、第２の位相同期回路（♯２）３の第３のＯ／Ｅ変換手段３８により復調されたマイクロ波信号は、マイクロ波信号源１の出力信号と同期している。
【００５３】
そして、第２のＯ／Ｅ変換手段３６からのマイクロ波信号と、第３のＯ／Ｅ変換手段３８からのマイクロ波信号は、位相比較手段３７に入力され、それらの位相差に応じた駆動信号が出力される。そして、この駆動信号を元に光遅延制御手段３５は遅延量を調整し、位相比較手段３７で比較された位相差が一定となるように制御される。
【００５４】
以上の構成により、第２の位相同期回路（♯２）３でのマイクロ波信号と、次段の第２の位相同期回路（♯３）３でのマイクロ波信号との位相を同期させることができる。また、第２の位相同期回路（♯２）３でのマイクロ波信号は、マイクロ波信号源１の出力信号とも位相同期されていることから、第２の位相同期回路（♯３）３でのマイクロ波信号はマイクロ波信号源１の出力信号とも位相同期されることになる。
【００５５】
以上のように、この実施の形態２によれば、各第２の位相同期回路３において、変調光を電気信号に変換せずに次段の第２の位相同期回路３へ伝送するように構成したので、実施の形態１における効果に加えて、光／電気変換時、電気／光変換時に伴う付加雑音が重畳されることなく、伝送することが可能である。
【００５６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５７】
１  マイクロ波信号源、２  第１の位相同期回路、３  第２の位相同期回路、４  マイクロ波出力手段、５  伝送用光ファイバ（分割光ファイバ）、２１  電気／光変換手段、２２  光サーキュレータ、２３  光遅延制御手段、２４  光／電気変換手段、２５  位相比較手段、３１  部分光反射手段、３２  第１の光／電気変換手段、３３  電気／光変換手段、３４  光サーキュレータ、３５  光遅延制御手段（第２の光遅延制御手段）、３６  第２の光／電気変換手段、３７  位相比較手段（第２の位相比較手段）、３８  第３の光／電気変換手段、４１  部分光反射手段、４２  光／電気変換手段。
【図１】
2014011561.tif 000003
【図２】
2014011561.tif 000004
【図３】
2014011561.tif 000005
【図４】
2014011561.tif 000006
【図５】
2014011561.tif 000007